(57)【特許請求の範囲】
【請求項１】
床面に敷いたペットの排泄物を吸収するペット用トイレシート上に載置されて、前記トイレシートの一部を覆った状態で押さえるためのカバー部材であって、
前記カバー部材は、所定の幅を有し、直線状又は曲線状に延びる基体部を備え、前記基体部の幅方向の一方の端である第１端及び前記幅方向の他方の端であって、前記第１端とは水平方向において相対する方向に位置する第２端を有し、上部及び底部を備え、
前記底部は、前記第１端の端縁部を含む第１端側領域と、前記第２端の端縁部を含む第２端側領域と、前記第２端側領域と前記第１端側領域との間の中間領域とを有し、
前記第１端側領域には、床面と接触させるための下面を有する第１部材が配設されており、
前記中間領域には、前記トイレシートの上面に少なくとも一部を接触させるための下面を有するリブが設けられており、前記リブは、前記第１端から前記第２端に向けて延びており、
前記第２端側領域は、下面において前記トイレシートの上面と接触させるための第２部材が設けられていて、前記第２部材は、前記第２端の端縁部に沿って延びるように配設されている、ペット用トイレシートのカバー部材。
【請求項２】
前記第２部材は、前記第２端の端縁部から第１端の方向に離間した位置に配設されている、請求項１に記載のペット用トイレシートのカバー部材。
【請求項３】
前記リブは、前記第２端側領域と隣り合う位置に、上方に凸となるように湾曲した曲面状に形成された凹部を有している、請求項１又は２に記載のペット用トイレシートのカバー部材。
【請求項４】
前記第２端の前記下面の鉛直方向高さは、前記第２部材の前記下面の鉛直方向高さよりも高く、
前記第２部材の前記下面の鉛直方向高さは、前記リブの前記下面及び前記第１端の前記下面の鉛直方向高さよりも高く、
前記リブの前記下面及び前記第１端の前記下面の鉛直方向高さは、前記第１部材の前記下面の鉛直方向高さよりも高い、請求項１〜３のいずれか１項に記載のペット用トイレシートのカバー部材。
【請求項５】
前記第１部材は、前記第１端の端縁部から前記第２端の方向に離間して配設されている、請求項１〜４のいずれか１項に記載のペット用トイレシートのカバー部材。
【請求項６】
前記カバー部材は、前記第２端が内周側に位置する枠状に形成されている、請求項１〜５のいずれか１項に記載のペット用トイレシートのカバー部材。
【請求項７】
前記請求項１〜６のいずれか１項に記載のペット用トイレシートのカバー部材と、前記カバー部材が上面に載置される、液透過性のトップシート及び液不透過性のバックシート並びにこれらのトップシートとバックシートの間に配設された吸液性を有する吸収体とを備えた前記ペット用トイレシートとを備えたペット用トイレ。
【発明の詳細な説明】
【技術分野】
【０００１】
本発明は、ペット用トイレシートのカバー部材及びこれを用いたペット用トイレに関する。
【背景技術】
【０００２】
従来、室内で飼育するペットの排泄物を処理するペット用トイレとして、床面に置いた受皿状のトレイの上部に、液体を吸収可能なシート状のペット用トイレシートを載置し、該トイレシートを押さえるように、枠部材をトレイに取り付けたものがある（例えば、特許文献１参照。）。
しかしながら、このようなペット用トイレは、トレイとトイレシートと枠部材の３つの層からなる積層構造であり、必然的にトイレの高さ、特に床面から枠部材の最も高い部分までの高さが高くなる。そのため、特に犬などのペットは、床面から高さが高い枠部材を越えるのを嫌ってトイレシートに入らない傾向にあり、トイレで排泄を行いにくい場合があった。
【０００３】
そこで、このような高さに起因する問題点を克服すべく、例えば特許文献２に記載されているような、トイレシートを載置する一番下のトレイを省いて、トイレシートを床面に直接敷いたタイプのペット用トイレが存在する。このペット用トイレは、一般に、トイレシートをフローリング等の床面に直接敷いた上で、トイレシートのカバー部材でトイレシートの一部を覆った状態で押さえる構成となっている。この構成では、トレイが存在しない分、ペット用トイレの高さ、延いては床面からカバー部材の最上端部分までの高さを低く抑えることが可能となるため、ペットが該カバー部材を越えてトイレシートに入りやすいという利点がある。
【０００４】
しかしながら、この種のペット用トイレは、基本的に、トイレシートがカバー部材によって押さえられただけであるので、ペットがトイレシートへ入る時に足がカバー部材に乗る場合やペットがトイレシートに勢いよく入っている場合には、カバー部材がトイレシート上でずれ易く、またペット用トイレの床面上の位置がずれ易いという問題があった。
しかも、ペットがカバー部材付近で尿を勢いよく出した場合、カバー部材の底面とトイレシートの上面との間の隙間を通して、トイレシートの外に流れてしまう可能性があった。
【先行技術文献】
【特許文献】
【０００５】
【特許文献１】特開２０１０−２３３５８３号公報
【特許文献２】特開２００５−２８７３６７号公報
【発明の概要】
【発明が解決しようとする課題】
【０００６】
前記の問題点に鑑み、ペット用トイレシートのずれを防止し、且つトイレシート上の尿が該トイレシート外に流れ出ることを防止することができる、簡易且つコンパクトな構成のペット用トイレシートのカバー部材及びこれを用いたペット用トイレを提供することを目的とする。
【課題を解決するための手段】
【０００７】
前記課題を解決するため、本発明のペット用トイレシートのカバー部材は、次のような構成を有している。
（１）床面に敷いたペットの排泄物を吸収するペット用トイレシート上に載置されて、前記トイレシートの一部を覆った状態で押さえるためのカバー部材であって、
前記カバー部材は、第１端及び前記第１端とは水平方向において相対する方向に位置する第２端を有し、上部及び底部を備え、前記底部は、前記第１端の端縁部を含む第１端側領域と、前記第２端の端縁部を含む第２端側領域と、前記第２端側領域と前記第１端側領域との間の中間領域とを有し、前記第１端側領域には、床面と接触させるための下面を有する第１部材が配設されており、前記中間領域には、前記トイレシートの上面に少なくとも一部を接触させるための下面を有するリブが設けられており、前記リブは、前記第１端から前記第２端に向けて延びており、前記第２端側領域は、下面において前記トイレシートの上面と接触させるための第２部材が設けられていて、前記第２部材は、前記第２端の端縁部に沿って延びるように配設されている、ペット用トイレシート。
【０００８】
（２）前記第２部材は、前記第２端の端縁部から第１端の方向に離間した位置に配設されている、前記（１）に記載のペット用トイレシートのカバー部材。
【０００９】
（３）前記リブは、前記第２端側領域と隣り合う位置に、上方に凸となるように湾曲した曲面状に形成された凹部を有している、前記（１）又は（２）に記載のペット用トイレシートのカバー部材。
【００１０】
（４）前記第２端の前記下面の鉛直方向高さは、前記第２部材の前記下面の鉛直方向高さよりも高く、前記第２部材の前記下面の鉛直方向高さは、前記リブの前記下面及び前記第１端の前記下面の鉛直方向高さよりも高く、前記リブの前記下面及び前記第１端の前記下面の鉛直方向高さは、前記第１部材の前記下面の鉛直方向高さよりも高い、前記（１）〜（３）のいずれか１項に記載のペット用トイレシートのカバー部材。
【００１１】
（５）前記第１部材は、前記第１端の端縁部から前記第２端の方向に離間して配設されている、前記（１）〜（４）のいずれか１つに記載のペット用トイレシートのカバー部材。
【００１２】
（６）前記カバー部材は、前記第２端が内周側に位置する枠状に形成されている、前記（１）〜（５）のいずれか１つに記載のペット用トイレシートのカバー部材。
【００１３】
一方、前記課題を解決するため、本発明のペット用トイレは次の構成を有している。
（７）前記（１）〜（６）のいずれか１つに記載のペット用トイレシートのカバー部材と、前記カバー部材が上面に載置される、液透過性のトップシート及び液不透過性のバックシート並びにこれらのトップシートとバックシートの間に配設された吸液性を有する吸収体とを備えた前記ペット用トイレシートとを備えたペット用トイレ。
【発明の効果】
【００１４】
本発明によれば、床面に敷いたトイレシートの上面に、カバー部材の第２端の端縁部に沿って延びるように配設した第２部材の下面を接触させる一方で、第１部材の下面を床面に接触させる。これにより、前記第１部材が、床面とカバー部材の間のずれとトイレシートとカバー部材の間のずれを防止しつつ、前記第２部材が、トップシート上の尿の流れを塞き止めることができる。
したがって、全体としての構成が簡易な構成とし、高さをコンパクトに抑えながら、ペット用トイレシートのずれを防止し且つトイレシート上の尿を塞き止めることが可能となる。
【図面の簡単な説明】
【００１５】
【図１】図１は、本発明の第１実施形態に係るペット用トイレに用いるカバー部材の模式的な斜視図である。
【図２】図２は、本発明の第１実施形態に係るカバー部材をペット用トイレシートの上に置く前の状態を模式的に示す図である。
【図３】図３は、本発明の第１実施形態に係るペット用トイレの模式的な斜視図である。
【図４】図４は、本発明の第１実施形態に係るカバー部材の下から見た模式的な要部拡大斜視図である。
【図５】図５は、本発明の第１実施形態に係るカバー部材をペット用トイレシートの上に置いた状態における、図４の線Ｖ−Ｖにおける端面図である。
【図５Ａ】図５Ａは、本発明の第１実施形態に係るカバー部材をペット用トイレシートの上に置いた状態における、図４の線ＶＡ−ＶＡにおける端面図である。
【図６】図６は、本発明のカバー部材における他の実施の形態を模式的に示す斜視図である。
【図７】図７は、本発明のカバー部材におけるさらに他の実施の形態を模式的に示す斜視図である。
【発明を実施するための形態】
【００１６】
以下、本発明のペット用トイレシートのカバー部材及びこれを用いたペット用トイレの好適な実施形態について、図面を参照しながら詳細に説明する。
【００１７】
図１〜図５Ａは、本発明の第１実施形態に係るペット用トイレを示すものである。
この実施の形態のペット用トイレ１１０は、ペットの排泄物を吸収するペット用トイレシート１２０と、このトイレシート１２０上に載置されてトイレシート１２０の一部を覆った状態で押さえるためのカバー部材１３０とを備えている。このペット用トイレ１１０は、トイレシート１２０を床面１１１の所望の位置に直接敷き、トイレシート１２０をカバー部材１３０によって一部を覆った状態で押さえるように置いて用いられる。
この実施の形態においては、カバー部材１３０は、平面視略正方形状の内周縁及び外周縁を有する、略正方形状の枠状に形成されたものとなっている。
なお、本発明における「床面」とは、従来のような受け皿状のトレイを介さない床そのものの面を意味し、例えばフローリングや畳はもちろん、ペット用トイレを構成しない絨毯等の敷物が敷かれた床面を含む概念である。
【００１８】
トイレシート１２０は、液透過性のトップシート１２１及び液不透過性のバックシート１２２、並びにこれらのトップシート１２１とバックシート１２２の間に配設された吸液性を有する吸収体１２３とを備えている。この構成により、ペットが排泄した尿は、トップシート１２１を通して吸収体１２３に吸収、保持される。
【００１９】
本実施形態においては、トイレシート１２０は、平面視で略正方形のシートとしている。具体的には、吸収体１２３は、平面視略正方形のトップシート１２１及びバックシート１２２よりも小さな平面視で略正方形となっていて、トップシート１２１とバックシート１２２の間における平面視中央の部分に配設されている。さらに、これらのトップシート１２１とバックシート１２２とは、吸収体１２３が存在しない外周縁部分において重ね合わされていて、その重ね合わされた部分が相互に接合されることにより、トイレシート１２の外周縁であるフラップ部１２４となっている。
【００２０】
なお、トップシートとしては、例えば不織布等の液透過性のシート状の材料が用いられ、また、バックシートとしては、例えばフィルム等の液不透過性のシート状の材料が用いられる。さらに、吸収体としては、例えばパルプや吸収ポリマー、あるいはこれらを混合して成形した吸液性の材料により形成される。
【００２１】
なお、トイレシート１２０のトップシート１２１には、使用者がカバー部材１３０をトイレシート１２０に対して適切な位置に置くことができるように、カバー部材１３０の内周縁に対応する位置に目印（図示せず）を設けてもよい。
この目印は、例えばトップシート１２１に印刷される。これにより、使用者がカバー部材１３０をトイレシート１２０上の適切な位置に置くことができるため、後述するようなペットの動作に起因するカバー部材１３０とトイレシート１２０との位置ずれや、ペットの尿のペットシート外への流出をより安定的に抑えることができる。
【００２２】
カバー部材１３０は、カバー部材１３０の本体を構成する板体状の基体部１３３と、基体部１３３の上面に位置する上部１３１と、基体部１３３における、上部１３１とは反対側の面に位置する底部１３２とを備えている。
上部１３１は、主に、カバー部材１３０（基体部１３３）上に落下した尿をトイレシート１２０へ案内する機能を有し、底部１３２は、カバー部材１３０と床面１１１との間のずれ及びカバー部材１３０とトイレシート１２０の間のずれを防止する機能と、トイレシート１２０上の尿を塞き止める機能とを有している。
【００２３】
カバー部材１３０の基体部１３３は、第１端１４１と、第１端１４１とは水平方向において相対する方向に位置する第２端１５１とを有している。
より具体的には、本実施形態のカバー部材１３０は、一方向に長い４つの基体部１３３によって、平面視略正方形状の枠状に形成されたものとなっていて、各基体部１３３が枠状のカバー部材１３０の一辺をなす構成となっている。そして、各基体部１３３の幅方向の一方である第１端１４１が枠の外周側に位置すると共に、幅方向の他方である第２端１５１が枠の内周側に位置する構成となっている。
なお、基体部１３３の第２端１５１の端縁（カバー部材１３０の内周縁）と、第１端１４１の端縁（カバー部材１３０の外周縁）における第２端１５１の端縁と対応する部分とはほぼ平行な方向に延びている。
また、隣接する基体部１３３、１３３における外周側（第１端１４１側）は、平面視において緩やかに湾曲した状態で一体に連結されていて、カバー部材１３０全体としては、四隅が緩やかに湾曲するように面取りされた態様となっている。これにより、犬等のペットが、どの位置からでもできるだけ容易にカバー部材１３０に脚を踏み入れられるようにしている。
【００２４】
図５に示すように、カバー部材１３０の上部１３１は、基体部１３３の第１端１４１側から第２端１５１にいくに従って次第に下方に傾斜する傾斜面１３１ａと、この傾斜面１３１ａの第１端１４１側に設けられた、基体部１３３から上方に立ち上がる立壁部１３４とを備えた構成となっている。この実施の形態においては、基体部１３３が第１端１４１側から第２端１５１にいくに従って次第に下方に傾斜することにより、この上部１３１に傾斜面１３１ａが形成されてものとなっている。
なお、立壁部１３４は、カバー部材１３０の外周縁に沿うように、カバー部材１３０の全周にわたって連続的に設けられている。また、この立壁部１３４の上端部はカバー部材１３０において最も高い位置となっている。
これにより、ペットの尿が傾斜面１３１ａ上に落下した場合には、その尿をカバー部材１３０に留まることなく上部１３１から第２端１５１に向けて流し、最終的にはトイレシート１２０上に落下させて吸収体１２３に吸収させることができるようになっている。
一方、傾斜面１３１ａ上に落下したペットの尿は、落下時の勢いによって、傾斜面１３１ａの傾斜に逆らって第１端１４１側に移動しようとした場合であっても、立壁部１３４によってその移動が抑止され、第１端１４１側から尿が飛び出ることを可及的に抑えることが可能となっている。また、立壁部１３４は、カバー部材１３０の全周にわたって連続的に設けられているため、第１端１４１側からの尿の飛び出しをより安定的に抑えることができる。
【００２５】
カバー部材１３０の底部１３２は、基体部１３３の第１端１４１から第２端１５１に向けて、第１端１４１の端縁部１４２から後述する第１滑り止め部材１７１に及ぶ第１端側領域１４３と、後述する第２滑り止め部材１８１から第２端１５１の端縁部に及ぶ第２端側領域１５３と、これらの第１端側領域１４３と第２端側領域１５３との間に配設された、後述するリブ１６４を含む中間領域１６３とをを有する。
【００２６】
第１端側領域１４３は、床面１１１と接触させるための第１部材を有している。この実施の形態においては、第１部材として、床面に対する滑り止めとして機能する第１滑り止め部材１７１が配設されていて、下面１７２において床面１１１と接触させることが可能となっている。
この実施の形態においては、図４に示すように、第１滑り止め部材１７１は、軸線が鉛直方向に延び、下面１７２が平坦な面である略円柱状に形成されていて、基体部１３３から下方に延びている円筒状の収容部１７２ａ内に、上方側の一部が収容された状態で接着されている。また、第１滑り止め部材１７１の下面１７２は、本実施形態では、平坦に形成されている。
なお、前述のように、この実施の形態の第１滑り止め部材１７１は、略円柱状に形成されているが、角柱状等や半球状等、任意の形状とすることができる。また、この実施の形態では、下面１７２は平坦面となっているが半球状等の他の形状であってもよい。さらには、基体部１３３の長さ方向に連続的に延びる態様であってもよい。
【００２７】
また、本実施形態では、第１滑り止め部材１７１の下面１７２の鉛直方向高さは、カバー部材１３０の底部１３２の中で最も低くなっている。即ち、第１滑り止め部材１７１の下面１７２は、底部１３２の中で最も下方に突出した位置に配設された状態となっている。
この構成により、トイレシート１２０の一部を覆った状態でカバー部材１３０を押さえるように置いた場合に、カバー部材１３０の第１滑り止め部材１７１の下面１７２のみを床面１１１と接触させることができる。したがって、例えば、ペットがカバー部材１３０を蹴ったとしても、カバー部材１３０の重力下でカバー部材１３０と床面１１１の間で摩擦力が作用するためカバー部材１３０の動きが抑止され、カバー部材１３０と床面１１１の間のずれを防止することができる。したがって、トイレ１１０全体が床面１１１上において位置ずれしない。
【００２８】
さらに、第１滑り止め部材１７１は、底部１３２において第１端１４１の端縁部１４２から第２端１５１の方向に離間して配設されている。この構成により、仮にペットの尿がカバー部材１３０の第１端１４１の端縁部１４２に沿って床面１１１に落下した場合であっても、第１滑り止め部材１７１と第１端１４１の端縁部１４２、さらに床面１１１との間で囲まれた空間がバッファの役割を果たすため、尿が第１滑り止め部材１７１に到達することを抑止、あるいは遅延させることができる。したがって、第１滑り止め部材１７１の下面１７２が尿で濡れて滑り止めの機能を損なうことなく、カバー部材１３０と床面１１１との間のずれを防止することができ、トイレ１１０全体が床面１１１上において位置ずれすることをより安定的に防ぐことができる。
ここで、第１滑り止め部材１７１は、第１端１４１の端縁部１４２から第２端１５１の方向に１ｍｍ〜５０ｍｍ程度離間されていることが好ましく、さらに好ましくは３ｍｍ〜３０ｍｍ程度、より好ましくは５ｍｍ〜１０ｍｍ程度とすることである。５ｍｍ未満であると、外側に落ちた液が第１滑り止め部材１７１に入り込んでしまい、摩擦力が弱くなってしまい滑り止め部材として機能せず、１０ｍｍ超であると、トイレが不安定でペットがカバー部材の外側に乗った場合に外側に傾き、カバー部材の内側面がシートに接しなくなってしまうという問題がある。
【００２９】
なお、第１滑り止め部材１７１は、本実施形態では、正方形の枠状のカバー部材１３０の４つの角付近に１つ、各辺の中央付近に１つずつ設けているが、第１滑り止め部材の数は任意の数とすることができる。
【００３０】
また、第１滑り止め部材１７１の材料は、例えばゴム等の弾性材料であることが好ましく、その弾性によって、床面に対して滑り止めの機能を発揮する。
【００３１】
第２端側領域１５３は、トイレシート１２０の上面と接触させるための第２部材を有している。この実施の形態においては、第２部材として、トイレシート１２０に対する滑り止めとして機能する第２滑り止め部材１８１が設けられていて、平坦な面である下面１８２においてトイレシート１２０の上面と接触するようになっている
また、第２滑り止め部材１８１の下面１８２の鉛直方向高さが、第２端１５１の下面の鉛直方向高さよりも低く、且つ後述するリブ１６４の下面及び第１端１４１の下面の鉛直方向高さよりも高くなっている。このような位置関係としたことにより、トイレシート１２０の一部を覆った状態でカバー部材１３０を押さえるように置いた場合には、カバー部材１３０の重力作用によって、第２滑り止め部材１８１をトイレシート１２０の上面に押圧力をもって接触させることができる。これにより、ペットがトイレシート１２０を蹴っても、第２滑り止め部材１８１とトイレシート１２０との間で摩擦力が発生し、トイレシート１２０とカバー部材１３０との間での相対的なずれを防止することができ、カバー部材１３０のずれに起因してトイレシート１２０に皺が寄ったりすることを防ぐことができる。
【００３２】
第２滑り止め部材１８１は、第２端１５１の端縁部１５２に沿って、基体部１３３の長さ方向に延び、且つ予め定めた大きさの幅及び厚さを有する平面視矩形状の板体状に形成されている。なお、この実施の形態においては、カバー部材１３０の第２端１５１の端縁部１５２は、連続的な構成であるが、非連続的な端縁部又は部分的な構成でもよく、本発明における「第２端の端縁部に沿って延びる」構成とは、第２滑り止め部材が第２端の連続的な端縁部に沿って延びる構成のみならず、第２滑り止め部材が第２端の非連続的な端縁部又は部分的な端縁部に沿って延びる構成をも含むことを意味する。なお、この実施の形態においては、この第２滑り止め部材１８１は、カバー部材１３０をトイレシート１２０上に置いた際に、下面１８２がほぼ水平となるように、基体部１３３の下面に位置不動に固定されている。
さらに、第２滑り止め部材１８１の長さは、基体部１３３の第２端１５１の端縁部１５２（即ち、カバー部材１３０の内周縁の一辺）とほぼ同じ長さとなっている。
この構成によって、第２滑り止め部材１８１の下面１８２が、トイレシート１２０に面接触して、トイレシート１２０とカバー部材１３０の間のずれを防止することが可能となっている。
さらに、第２滑り止め部材１８１の下面１８２がトイレシート１２０に面接触することにより、この下面１８２とトイレシート１２０との間の隙間が塞がれるため、仮にペットの尿がトイレシート１２０のトップシート１２１上を伝って、第２端１５１の端縁部１５２からカバー部材１３０の底部１３２側に流入してきた場合には、この第２滑り止め部材１８１がその尿の流れを塞き止めることができるようになっている。これにより、第２滑り止め部材１８１に塞き止められた尿を、トイレシート１２０の外縁にあるフラップ部１２４まで到達させることなく、トップシート１２１を通して吸収体１２３に吸収させて、尿が底部１３２を通じてトイレシート１２０外に流出することを安定的に防止することが可能となっている。
【００３３】
ここで、第２滑り止め部材１８１は、第２端１５１の端縁部１５２から第１端１４１の方向に離間した位置に配設されている。即ち、第２滑り止め部材１８１における、基体部１３３の第２端１５１側の長手部分と、第２端１５１の端縁部１５２との間は、予め定めた距離だけ離れた態様となっている。
また、このとき、基体部１３３が、前述のように第２端側に行くにしたがって下方に傾斜しているため、第２滑り止め部材１８１と第２端１５１の端縁部１５２との間の空間１５４の高さは、第２端１５１の端縁部１５２の位置よりも高くなっている。したがって、カバー部材１３０をトイレシート１２０上に置いた状態においては、第２端１５１の端縁部１５２とトイレシート１２０のトップシート１２１との間の隙間に比べて、第２滑り止め部材１８１と第２端１５１の端縁部１５２とトップシート１２１で囲まれた空間は大きくなっている。
【００３４】
これにより、仮にペットの尿が、トイレシート１２０のトップシート１２１上を伝って第２端１５１の端縁部１５２から底部１３２側に流入した場合であっても、この第２滑り止め部材１８１における基体部１３３の第２端１５１側の長手部分と、第２端１５１の端縁部１５２との間には距離があるため、第２滑り止め部材１８１に衝突する尿の流れの勢いが弱まり、第２滑り止め部材１８１による尿の塞き止めを安定的に行うことが可能となる。さらに、第２滑り止め部材１８１と第２端１５１の端縁部１５２とトップシート１２１で囲まれた空間１５４は、第２端１５１の端縁部１５２とトイレシート１２０のトップシート１２１との間の隙間に比べて大きく、空間的な広がりが確保されているため、勢いよく流入してきた尿の流れを拡散させて、その勢いを弱めることができる。したがって、第２滑り止め部材１８１による尿の塞き止めをより一層安定的に行うことができる。
【００３５】
また、第２滑り止め部材１８１の位置、即ち、第２滑り止め部材１８１における、基体部１３３の第２端１５１側の長手部分と、第２端１５１の端縁部１５２との間の距離ｄは、３ｍｍ〜３０ｍｍ程度とすることが好ましく、さらに好ましくは５ｍｍ〜２０ｍｍ20程度、より好ましくは８ｍｍ〜１０ｍｍ程度とすることである。
この距離が３ｍｍ未満であると、カバー部材１３０の第２端１５１の端縁部１５２から第１端１４１の方向に向けた距離が短すぎて、勢いを弱める効果が小さくなり、逆に３０ｍｍ超となると、距離が長すぎると、中間領域１６３が小さくなるため後述のリブの長さが短くなり、トイレシート１２０を押さえる効果が弱まってしまう可能性があり、ひいては、吸収体と第２滑り止め部材が接しなくなるため塞き止め機能がしなくなるという可能性がある。
この第２滑り止め部材１８１と第２端１５１の端縁部１５２との間の距離については、基体部１３３の大きさにもよるが、例えば、基体部１３３の幅が９５ｍｍの場合には、端縁部１５２から３ｍｍ〜３０ｍｍ程度の位置に第２滑り止め部材１８１を配置することが好ましい。
【００３６】
また、第２滑り止め部材１８１の材料は、この第２滑り止め部材１８１をトイレシート１２０に密着させて尿を塞き止めるという観点から、例えばウレタン等の気泡性材料などの弾性材料であることが好ましく、気泡性材料の気泡は、第２滑り止め部材１８１の中で尿を透過させないという観点から、独立気泡がさらに好ましい。
【００３７】
中間領域１６３は、トイレシート１２０の上面に少なくとも一部を接触させるための下面１６５を有する、複数の前述のリブ１６４が設けられている。
このリブ１６４は、基体部１３３の第１端１４１から第２端１５１に向けて延びていて、特に、下面１６５の大部分は、略水平方向に延びている。また、この実施の形態においては、リブ１６４は、その上端が基体部１３３の下面に位置不動に固定されていて、その基体部１３３の下面から下方に向けて突設された態様となっている。この実施の形態においては、リブ１６４は、カバー部材１３０における枠の一辺に相当する各基体部１３３の長さ方向に一定の間隔で複数（この実施の形態の場合は５つ）配設されている。
さらに、同一の基体部１３３に形成されているリブ１６４は、相互に平行となるように配設され、カバー部材１３０の四隅にあたる部分については、隣接する他のリブ１６４に対して平面視において４５°程度の角度をつけた状態で１つのリブ１６４を設けた態様となっている。なお、本実施形態では、正方形の枠状のカバー部材１３０の各辺に５つずつ設けているが、他の任意の数のリブ１６４を設けてもよい。
【００３８】
そして、トイレシート１２０の一部を覆った状態でカバー部材１３０を押さえるように置いた際に、図５に示すように、リブ１６４の下面１６５が、トイレシート１２０のトップシート１２１上における吸収体１２３の外周縁に相当する部分やフラップ１２４の近傍に当接して、トイレシート１２０を押さえるようになっている。
また、リブ１６４の下面１６５の鉛直方向高さは、第１滑り止め部材１７１の下面１７２の鉛直方向高さよりも高く、且つ第２滑り止め部材１８１の下面１８２の鉛直方向高さよりも低くなっている。これにより、カバー部材１３０の第１端１４１から第２端１５１に向かう方向の強度を確保することはもちろんのこと、リブ１６４によってトイレシート１２０、特にフラップ部１２４を確実に押さえることができるため、カバー部材１３０のトイレシート１２０に対するずれをより安定的に防止することができる。
【００３９】
ここで、リブ１６４は、第２端側領域１５３と隣り合う位置に、上方に凸となるように湾曲した曲面状に形成された凹部１６６を有している。
この凹部１６６は、リブ１６４の下面１６５から、この下面１６５よりも上方に位置する基体部１３３の下面にかけて、凹状に連続的に湾曲する曲面を形成していて、凹部１６６の上方部分は、トイレシート１２０のトップシート１２１における吸収体１２３の外周縁部分と重なる位置に当接して押圧し、凹部１６６の下方部分は、トイレシート１２０のフラップ部１２４に当接して押圧することができるようになっている。即ち、この凹部は、トイレシート１２０において、吸収体１２３の存在によって生じるトップシート１２１の段差部分に当接して、リブ１６４全体としてその段差に関わらずトイレシート１２０を安定的に押さえることを可能としている。
したがって、ペットがトイレシート１２０上で勢いよく走った場合など、トイレシート１２０がカバー部材１３０に向けて移動しようとした時に、吸収体１２３の存在によって生じるトップシート１２１の段差部分を押さえて、カバー部材１３０とトイレシート１２０との間のずれを防止することができる。特に、この実施の形態の場合、カバー部材１３０が平面視正方形状の枠状に形成されたものであることから、相対する位置に配設された基体部１３３，１３３におけるリブ１６４の凹部１６６は、湾曲する方向（凸となる方向）が相反する方向となる。したがって、ペットの動きによって、仮にカバー部材１３０が一方の基体部１３３の方向に移動する力が作用したとしても、その方向と反対側に位置する基体部１３３のリブ１６４の凹部１６６の曲面が、トイレシート１２０のトップシート１２１の段差部分に引っ掛かり、カバー部材１３０の移動を抑止するため、トイレシート１２０を一層安定的に押さえることができる。
【００４０】
ところで、このカバー部材１３０の底部１３２については、第２端１５１の下面の鉛直方向高さは、第２滑り止め部材１８１の下面１８２の鉛直方向高さよりも高くなっている。そして、第２滑り止め部材１８１の下面１８２の鉛直方向高さが、リブ１６４の下面及び第１端１４１の下面の鉛直方向高さよりも高く、リブ１６４の下面１６５及び第１端１４１の下面の鉛直方向高さが、第１滑り止め部材１７１の下面１７２の鉛直方向高さよりも高くなっている。
これにより、このカバー部材１３０の底部１３２は、トイレシート１２０の上面の形状（より具体的には、吸収体の平面視形状やトイレシート１２０の外周縁の形状に伴う凹凸）に応じて各部分の突出具合が調整されているため、底部１３２の各部分の機能が安定的に発揮される。即ち、第１滑り止め部材１７１の床面１１１との間のずれ防止の滑り止めの機能、第２滑り止め部材１８１のトイレシート１２０との間の滑り止め機能及び尿の塞き止め機能、床面１１１との間でトイレシート１２０のトップシート１２１を押さえる機能、及びリブ１６４が床面１１１との間でトイレシート１２０を押さえる機能を確保することができる。
【００４１】
なお、カバー部材１３０の重量は、カバー部材１３０の重量のみでトイレシート１２０を押さえるために必要な最低限の重量と、持ち運びの容易性の観点から最大限の重量を考慮して決定される。本実施形態では、カバー部材の重量は、カバー部材の大きさにもよるが、０．５ｋｇ〜３．０ｋｇ、さらに好ましくは０．５〜２．０ｋｇ、より好ましくは０．５〜１．０ｋｇの範囲とすることであるが、０．８kg程度とすることがトイレシート１２０の押さえると、持ち運びの容易性の観点から現実的である。
【００４２】
カバー部材の形成に用いられる材料は、例えば、ポリエチレン、ポリプロピレン、塩化ビニル樹脂、ポリスチレン、ＡＢＳ樹脂、ＡＳ樹脂、ポリエチレンテレフタレート等のポリエステル樹脂、ポリアミド樹脂、ポリカーボネート樹脂又はアクリル樹脂等の樹脂材料が挙げられる。あるいは、ステンレス鋼等の金属でもよい。
また、カバー部材の形成に際しては、材料が樹脂材料である場合には、射出成形で形成されることが好ましいが、材料が樹脂材料以外の材料である場合には、射出成形に限らず、アクリル樹脂では、切断加工した後に接着剤で接着して成形し、金属では、切断加工した後に溶着して成形してもよい。
また、上部１３１のうち、基体部１３３の傾斜面１３１ａについては、ペットが脚を滑らせないように、滑り止め加工、例えばシボ加工等を施すことが好ましい。
【００４３】
前記構成を有するトイレ１１０は、トイレシート１２０を床面の所定位置に敷いた上で、カバー部材１３０を、トイレシート１２０の一部を覆った状態で、第１の滑り止め部材１７１の下面１７２を床面１１１に当接させる。また、第２の滑り止め部材１８１をトイレシート１２０のトップシート１２１における吸収体１２３が存在する部分に、また、リブ１６４をトイレシート１２０のフラップ部１２４の近傍部分に、それぞれ当接させて、カバー部材１３０によってトイレシート１２０を押さえるように置く。
【００４４】
このとき、ペットがカバー部材１３０を蹴ったとしても、カバー部材１３０の重力下でカバー部材１３０と床面１１１の間で摩擦力が作用するので、カバー部材の動きを抑止してカバー部材１３０と床面１１１の間のずれを防止することができ、トイレ１１０全体の位置もずれない。
また、ペットの尿がトイレシート１２０のトップシート１２１上でカバー部材１３０の底面側において第２滑り止め部材１８１に向けて流れる場合にも、トップシート１２１上の尿の流れを第２滑り止め部材１８１が塞き止めることができる。
しかも、カバー部材１３０は、構成する第１の滑り止め部材１７１や、第２の滑り止め部材１８１、リブ１６４によって、カバー部材１３０と床面１１１の間のずれや、カバー部材１３０とトイレシート１２０との間のずれを防止する構成であり、全体としてきわめて簡易な構成である上、カバー部材１３０の高さに関わらず、比較的簡単に配設することができる。そのため、トイレ１１０全体としての高さを抑えることができ、犬等のペットがカバー部材１３０を跨いだり、踏んだりすることに対して、トイレの高さに起因する恐怖感を可及的に抑えて、できるだけ抵抗なくトイレシート１２０に移動させることが可能である。
【００４５】
前記実施の形態においては、トイレシート１２０の形状は、平面視で略正方形のシートとしているが、他の矩形状あるいは三角形状であってもよい。
また、前記実施の形態においては、カバー部材１３０は、平面視略正方形状の枠状に形成されているが、カバー部材の平面視形状は、略コの字状や略Ｌ字状であってもよい。
これにより、ペットがカバー部材のない領域を通してペット用トイレシートに出入りすることができるので、ペットがカバー部材に接触する機会を減らし、ペットがトイレシートまで比較的容易に移動することができる上、カバー部材とトイレシートとのずれ、あるいはカバー部材と床面とのずれが生じる機会を少なくすることができる。なお、このような略コの字状や略Ｌ字状のカバー部材を２つ組み合わせ、全体として平面視枠状にして使用してもよい。
【００４６】
カバー部材は、例えば図６に示すカバー部材４３０のように、直線状のものとすることができる。
これにより、カバー部材が枠状や略コの字状や略Ｌ字状である場合に比べ、カバー部材４３０を狭い空間にも自由に配置することができる。また、ペットがカバー部材４３０のない領域を通してペット用トイレシートに出入りすることができるので、ペットがカバー部材４３０に接触する機会を減らし、カバー部材とトイレシートとのずれ、あるいはカバー部材と床面とのずれが生じる機会を少なくすることができる。なお、このとき、カバー部材４３０については、第１部材が床面に当接するようにし、第２部材がトイレシートのトップシート（特に吸収体が存在する部分）に当接した状態で、該トイレシート上に置くことが肝要である。また、必要に応じて複数個のカバー部材４３０を併用してトイレシートを押さえることができる。
なお、このカバー部材４３０については、前記実施形態とは平面視形状が異なっているが、その他の基本的な構成や効果は実質的に同じであるため、詳細な説明は省略する。
【００４７】
さらに、カバー部材は、例えば図７に示すカバー部材５３０のように、平面視円弧状とすることができる。この場合、カバー部材５３０が丸みを帯びた構成であるため、ペットがトイレに入る時の違和感が緩和されることが期待される。なお、このとき、カバー部材５３０については、第１部材が床面に当接するようにし、第２部材がトイレシートのトップシート（特に吸収体が存在する部分）に当接した状態で、該トイレシート上に置くことが肝要である。
また、カバー部材は、平面視円形枠状（図示せず）であってもよく、あるいは前記平面視円弧状のカバー部材５３０を２つ使用して、全体として平面視円形枠状としてもよい。
このとき、カバー部材が平面視円弧状あるいは平面視円形枠状である場合には、トイレシートの平面視形状は、円形であることが好ましい。
なお、カバー部材５３０については、前記実施形態とは平面視形状が異なっているが、その他の基本的な構成や効果は実質的に同じであるため、詳細な説明は省略する。
【００４８】
また、前記実施の形態においては、第２部材としての第２滑り止め部材１８１は、第２端１５１の端縁部１５２から第１端の方向に離間した位置に配設さているが、第２部材は必ずしも第２端の端縁部から第１端の方向に離間していなくてもよい。
【００４９】
また、前記実施の形態においては、カバー部材１３０の底部１３２のリブ１６４は、第２端側領域１５３と隣り合う位置に、上方に凸となるように湾曲した曲面状に形成された凹部１６６を有しているが、この凹部については必ずしも設ける必要はなく、カバー部材とトイレシートとの間の位置ずれを確実に防止することができれば省略することができる。
【００５０】
また、前記実施の形態においては、カバー部材１３０の底部１３２について、カバー部材１３０の第２端１５１の下面の鉛直方向高さは、前記第２滑り止め部材１８１の下面の鉛直方向高さよりも高く、第２滑り止め部材１８１の下面の鉛直方向高さは、リブ１６４の下面及び第１端１４１の下面の鉛直方向高さよりも高く、リブ１６４の下面及び第１端１４１の下面の鉛直方向高さは、第２滑り止め部材１７１の下面の鉛直方向高さよりも高くしている。しかしながら、カバー部材の底部の各部分の高さの関係は、カバー部材によってトイレシートが動かないように確実に押さえることができ、且つトイレ全体としての位置ずれが生じなければ、任意のものとすることができる。
【００５１】
また、前記実施の形態においては、第１部材である第１の滑り止め部材１７１が、第１端１４１の端縁部１４２から第２端１５１の方向に離間して配設されているが、第１部材は、第１端の端縁部から第２端の方向に離間していなくてもよく、第１端の端縁部に当接した状態で配設してもよい。
【符号の説明】
【００５２】
１１０    ペット用トイレ
１１１    床面
１２０    ペット用トイレシート
１３０    カバー部材
１３１    上部
１３２    底部
１４１    第１端
１４２    第１端の端縁部
１４３    第１端側領域
１５１    第２端
１５２    第２端の端縁部
１５３    第２端側領域
１６３    中間領域
１６４    リブ
１６５    リブの下面
１７１    第１滑り止め部材
１８１    第２滑り止め部材
【図１】
0006388525.tif 000002
【図２】
0006388525.tif 000003
【図３】
0006388525.tif 000004
【図４】
0006388525.tif 000005
【図５】
0006388525.tif 000006
【図５Ａ】
0006388525.tif 000007
【図６】
0006388525.tif 000008
【図７】
0006388525.tif 000009